【手続補正書】
【提出日】平成20年9月25日(2008.9.25)
【手続補正１】
【補正対象書類名】特許請求の範囲
【補正対象項目名】請求項１
【補正方法】変更
【補正の内容】
【請求項１】
ベッドの床部を少なくとも背受ボトムと腰受ボトムと脚受ボトムとに分割し、前記背受ボトムは基部フレームに回動自在に枢着された背上げリンクと基部フレームに具備された摺動筒に沿って前後摺動する摺動フレームに軸承することにより水平状態から後方上部にせり上がるように背上げする構成とし、前記腰受ボトムは基部フレームに上下回動自在に軸承するとともに前記摺動フレームに設けた山型状のカムによって上下揺動するよう構成し、前記脚受ボトムは基部フレームに対して後下方に移動自在なレールフレーム上に枢支されるとともに該レールフレームはフック部材を介して前記摺動フレームに軸承された連動リンクに掛止され、さらに該連動リンクは背受ボトムの回動により増幅回動するよう構成され前記摺動フレームの後方移動に連動して前記レールフレームが後下方に引き込まれることによって前記腰受ボトムの後下方に収納されるよう構成し、背受ボトムと腰受ボトム上に載置される頭部側マットレスと脚受ボトム上に載置される脚部側マットレスが略同一平面を形成する状態から前記摺動フレームを基部フレームと摺動フレーム間に具備される駆動手段により後方移動させることで椅子状の状態に姿勢変更可能に構成されたことを特徴とするベッド。
【手続補正２】
【補正対象書類名】明細書
【補正対象項目名】０００３
【補正方法】変更
【補正の内容】
【０００３】
これらのように、背上げ可能なベッドとしては様々な形態が提案されている。しかしながら、第一の形態における背上げ可能なベッドでは、ベッドから離床する際に身体の向きを９０度回転させて、ベッドサイドで端座位をとった姿勢から立ち上がらなければならない。また、第二の形態では、椅子状態で着座した姿勢を楽なものとするためには、臀部から膝までの長さと略同等の大きさの大腿部パネルとする必要があり、この大腿部パネルの大きさになると、脚部パネルは膝下の長さ以上の長さを有していないとベッド上で仰臥する際にベッドから脚がはみ出してしまう欠点がある。そのため、大きな脚部パネルとなり、座った状態では使用者の脚が床に届かない状態となる場合もあり、実際の使用上においては、立ち上がり易さにかけるものである。
このように、従来の背上げ可能なベッドでは療養者のベッド上での療養に際しては好適であるが、療養者がベッドから離床するにはあまり適していなかった。
【手続補正３】
【補正対象書類名】明細書
【補正対象項目名】０００７
【補正方法】変更
【補正の内容】
【０００７】
まず、請求項１の発明では、ベッドの床部を少なくとも背受ボトムと腰受ボトムと脚受ボトムとに分割し、前記背受ボトムは基部フレームに回動自在に枢着された背上げリンクと基部フレームに具備された摺動筒にそって前後摺動する摺動フレームに軸承することにより水平状態から後方上部にせり上がるように背上げする構成とし、前記腰受ボトムは基部フレームに上下回動自在に軸承するとともに前記摺動フレームに設けた山型状のカムによって上下揺動するよう構成し、前記脚受ボトムは基部フレームに対して後下方に移動自在なレールフレーム上に枢支されるとともに該レールフレームはフック部材を介して前記摺動フレームに軸承された連動リンクに掛止され、さらに該連動リンクは背受ボトムの回動により増幅回動するよう構成され前記摺動フレームの後方移動に連動して前記レールフレームが後下方に引き込まれることによって前記腰受ボトムの後下方に収納されるよう構成し、背受ボトムと腰受ボトム上に載置される頭部側マットレスと脚受ボトム上に載置される脚部側マットレスが略同一平面を形成する状態から前記摺動フレームを基部フレームと摺動フレーム間に具備される駆動手段により後方移動させることで椅子状の状態に姿勢変更可能に構成されたことを特徴とする。
そして、請求項２の発明では、前記連動リンクに掛止可能なフック部材をレールフレームに回動自在に軸着し、このフック部材を連動リンクに掛止した状態と、掛止状態を解除するとともにレールフレームを保持した状態とに適宜操作可能に切替手段を設けたことを特徴とする。
さらに、請求項３の発明では、背受ボトムが上方にせり上がるように背上げする構成とするとともに、背受ボトムは背受ボトムが形成する平面から中央下部が窪んだ空間が形成されるよう構成された背受ボトムを備えたことを特徴とする。
また、請求項４の発明では、背受ボトムと腰受ボトム上に具備される頭部側マットレスと、脚受ボトム上に具備される脚部側マットレスの対向面を後方下がりの傾斜状に構成したことを特徴とする。
そして、請求項５の発明では、摺動フレームの前方移動に連動してレールフレームが前上方に移動し、このレールフレームに支持される脚受ボトムを背受ボトムと腰受ボトムよりも高い位置に配置することにより、背受ボトムと腰受ボトム上に具備される頭部側マットレスよりも脚受ボトム上に具備される脚部側マットレスを薄くしたことを特徴とする。
【手続補正４】
【補正対象書類名】明細書
【補正対象項目名】０００８
【補正方法】変更
【補正の内容】
【０００８】
請求項１の発明によれば、ベッドの床部を背受ボトムと腰受ボトムと脚受ボトムとに分割している。そして、背受ボトムは基部フレームに回動自在に枢着された背上げリンクと、基部フレームに具備された摺動筒内を前後に摺動する摺動フレームに取り付けられている。このように摺動筒内を前後に摺動するように構成されているので、レール部材等を用いた摺動フレームと異なり埃や異物の進入を防止できる。そのため、使用期間が長くなった場合においても故障などのトラブルを最小限に抑えることができる。そして、腰受ボトムは基部フレームに上下回動自在に軸承されるとともに摺動フレームに設けられた山型状のカムにより摺動フレームが前後移動するに伴い前記カムが作用し腰受ボトムが揺動する。また、腰受ボトムは基部フレームに対して後下方に移動自在なレールフレームに枢着されている。このレールフレームはフック部材を介して摺動フレームに軸着された連動リンクに掛止されている。なお、連動リンクは背受ボトムの回動により増幅回動するように構成されている。したがって摺動フレームの移動量異常に脚受ボトムを後方に引き込むことができる。このように構成されたベッドは、背受ボトムと腰受ボトム上に載置される頭部側マットレスと、脚受ボトム上に載置される脚部側マットレスが略同一平面を形成する状態と、摺動フレームを後方移動させることで椅子状の状態とに姿勢変更することができる。したがって、使用者は一般的なベッドとしても使用できるとともに、身体を反転させることなく自動的に着座した姿勢をとることができ、立ち上がり易いベッドとなっている。さらに、構成部材が簡素化されており重量の軽減がなされている。
請求項２の発明によれば、切替手段を適宜操作することで連動リンクとフック部材とが形成した状態とこれを解除した状態でレールフレームを保持拘束することができるように構成されている。したがって、ベッドの床面が略水平な状態と椅子状の状態、さらに背上げした状態で脚受ボトムが腰受ボトムの前方に位置するギャッチ状態とすることができる。そのため、使用者の使用状況に合わせてベッドの状態を変更することができ、ベッド上での療養及び離床などが快適に行われる。
請求項３の発明では、せり上がるように背上げされた背受ボトムの下方部が背受ボトムの形成する平面から中央下部が窪んだ状態となるように構成されている。したがって、背上げした状態で深く腰掛けると、腰部を両側部で保持されより安定した状態を維持することができる。
請求項４の発明では、頭部側マットレスと脚部側マットレスの対向面を後方下がりの傾斜状に構成している。したがって、脚受ボトムが後下方に移動する際に滑らかに移動がなされる。また、両マットレスを略同一平面に位置させた状態では、マットレスのすき間に異物等が挟まりこむことを防止できる効果もある。
請求項５の発明では、脚受ボトムを背受ボトムと腰受ボトムよりも高い位置に配置するよう構成し、脚部側マットレスを頭部側マットレスよりも薄く構成している。脚受ボトム側にかかる負荷は小さく、薄いマットレスであっても底付き感はなく使用できる。薄いマットレスを使用することで腰受ボトムの下方へ収納する高さ方向のスペースを少なくすることができ、より低床化することができる。
【手続補正５】
【補正対象書類名】明細書
【補正対象項目名】０００９
【補正方法】変更
【補正の内容】
【０００９】
ベッドの床面を背受ボトムと腰受ボトムと脚受ボトムに分割する。基部フレームには前後方向の摺動筒を備え、この摺動筒内を前後摺動する摺動フレームを設ける。背受ボトムは基部フレームに回動自在に枢着された背上げリンクと前記摺動フレームに軸承する。腰受ボトムは基部フレームに上下回動自在に軸承するとともに。摺動フレームに具備された山型状のカムにより揺動するよう構成する。さらに、基部フレームに対して後下方に移動自在にレールフレームを具備する。このレールフレーム上に脚受ボトムを軸承する。そして、レールフレームはフック部材を介して摺動フレームに軸承された連動リンクに掛止可能に構成する。なお、フック部材は切替手段により連動リンクに掛止される状態と掛止状態を解除した状態かつレールフレームを保持拘束した状態に設定可能に構成する。また、前記連動リンクは背受ボトムの背上げ回動により回動角度が増幅されるよう構成され、床面が略同一平面を形成する状態と、脚受ボトムが腰受ボトム下方に収納される椅子状の状態及び背上げした状態で腰受ボトムの前方に脚受ボトムが位置するギャッチ状態とに姿勢変更可能なベッドとする。
【手続補正６】
【補正対象書類名】明細書
【補正対象項目名】００１２
【補正方法】変更
【補正の内容】
【００１２】
初めに、基部フレーム２について説明する。第２図に示すように、この基部フレーム２は、四隅にベッド脚１１，１１，・・・を備えている。このベッド脚１１は接地部材１２にパイプ１３を止着してなるものである。そして、基部フレーム２の四隅に配されたアシパイプ１４，１４，・・・内に挿通され、ボルト（図示省略）等で適宜高さの設定が可能に構成されている。
そして、後側のアシパイプ１４，１４間には連結パイプ１５が固着され、この連結パイプ１５の下面に縦パイプ１６，１６が固着されている。さらに、この縦パイプ１６，１６下面から前側のアシパイプ１４，１４間に固着された連結パイプ１７の背面間に支持パイプ１８，１８が固着されている。また、この支持パイプ１８，１８の中央部には前後に離間した状態で支柱パイプ１９，２０がそれぞれ固着されており、この支柱パイプ１９，２０の上部に補強パイプ２１がそれぞれ固着されるとともに、左右の支柱パイプ１９，１９間にも補強パイプ２２が固着されている。そして、この補強パイプ２２上には端部が連結パイプ１５に固着された摺動筒２３，２３が一定間隔離間した状態で固着されている。なお、２４は摺動筒２３，２３に固着された背受ボトム６の支持部材である。
また、前記後側の連結パイプ５の中間部前面には駆動手段を取り付けるブラケット２５が固着されている。また、左右の支持パイプ１８，１８の中間部にはそれぞれ背上げリンク５，５が取り付けられるボス部材２６，２６が固着されている。さらに、支柱パイプ２０，２０の中間部にはそれぞれ摺動フレーム４を支持するローラー２７，２７が支承されており、この上部には腰受ボトム７の取付部となる空孔部２０ａ，２０ａが穿たれている。
さらに、左右の支持パイプ１８，１８の前方部にはレールフレーム８を支持する支持プレート２８，２８が固着されており、この支持プレート２８にはそれぞれローラー２９，２９が支承されている。また、この支持プレート２８，２８の左右方向外側にはブラケット３０，３０が配されており、ローラー３１，３１が支承されている。
【手続補正７】
【補正対象書類名】明細書
【補正対象項目名】００１４
【補正方法】変更
【補正の内容】
【００１４】
続いて背受ボトム６について説明する。この背受ボトム６は第３図に示すように矩形状の枠パイプ３８を備えている。この枠パイプ３８には支持パイプ３９，３９が固着されている。この支持パイプ３９，３９は側面視において枠パイプ３８と略同一平面を形成するとともに、枠パイプ３８からの突出部分は前方下方へ屈曲されている。そして、支持パイプ３９，３９の前端部には連結パイプ４０が固着され、この連結パイプ４０の両端には取付プレート４１，４１が固着されている。この取付プレート４１，４１にはそれぞれボス部材４２，４２が固着されるとともに、長孔部４１ａ，４１ａが穿設されている。
さらに、前記枠パイプ３８の前方角部近傍にはそれぞれブラケット４３，４３が固着されている。このブラケット４３，４３は側面視において枠パイプ３８と略同一平面を形成するように固着されている。
【手続補正８】
【補正対象書類名】明細書
【補正対象項目名】００１５
【補正方法】変更
【補正の内容】
【００１５】
次に背上げリンク５について説明する。この背上げリンク５，５は第３図に示すように左右一対で使用されるもので、左右対称状に構成される。この背上げリンク５は側面視において逆く字状に曲折されたパイプ４４の一端部にＬ字プレート４５を固着し、他端部にはボス部材４６が固着されてなるものである。
これら背上げリンク５，５は、基部フレーム２の支持パイプ１８，１８のボス部材２６，２６にＬ字プレート４５，４５がそれぞれ取り付けられ、ボス部材４６，４６は背受ボトム６のブラケット４３，４３に軸承されている。
そして、背受ボトム６の取付プレート４１，４１に固着されたボス部材４２，４２が、摺動フレーム４のプレート３７，３７の空孔部３７ａ，３７ａに軸承されることにより背受ボトム６は取り付けられている。
【手続補正９】
【補正対象書類名】明細書
【補正対象項目名】００２２
【補正方法】変更
【補正の内容】
【００２２】
このように構成された腰受ボトム７は、基部フレーム２に取り付けられている。詳述すると基部フレーム２の支柱パイプ２０，２０に設けられた空孔部２０ａ，２０ａに腰受ボトム７の取付プレート６９，６９の空孔部６９ａ，６９ａを軸承している。このとき、前記取付プレート６９，６９のローラー７０，７０は摺動フレーム４の山型カム３６，３６上を転動する状態あるいは支持プレート７１の平面部７１ａ，７１ａが支柱パイプ２０，２０前面に接当した状態にあるものである。
【手続補正１０】
【補正対象書類名】明細書
【補正対象項目名】００２４
【補正方法】変更
【補正の内容】
【００２４】
上記のように構成されたベッド１は、駆動手段３の伸縮作用により背受ボトム６の起伏動作と腰受ボトム７の上下揺動及び脚受ボトム９の引き込み収納が行われるよう構成されている。以下各部の作用について説明する。
まず、背受ボトム６と腰受ボトム７及び脚受ボトム９が略同一平面を形成する状態について説明する。
この状態では、第９図に示すように駆動手段３（図示省略）が伸びた状態であり、摺動フレーム４は前方に移動した状態となっている。このとき、背受ボトム６の頭部近傍は支持部材２４により支持されて水平な状態で保持されている。そして、腰受ボトム７はローラー７０，７０がそれぞれ山型カム３６，３６の後端部から摺動パイプ３２，３２上に位置し、この状態では支持プレート７１，７１の平面部７１ａ，７１ａが左右の支柱パイプ２０，２０に接当した状態となっており、これにより腰受ボトム７が水平状態で保持されるように構成されている。次に、脚受ボトム９は背受ボトム６が倒伏していることにより、連動リンク１０が前方に振り出された状態となっており、連動リンク１０のフック４９，４９に掛止されているフック部材５７によってレールフレーム８が前方に移動した状態で支持されている。このとき、脚受ボトム９の揺動カム６４，６４の水平部６４ａが基部フレーム２のローラー３１，３１上にあり、脚受ボトム９を水平な状態で保持している。
【手続補正１１】
【補正対象書類名】明細書
【補正対象項目名】００２５
【補正方法】変更
【補正の内容】
【００２５】
前述の状態から駆動手段３を縮めることによって摺動フレーム４を後方に移動させると第１０図から第１１図のように作用する。
まず、背受ボトム６は摺動フレーム４の後方移動に伴い後方移動し始める。このとき、背上げリンク５，５と背受ボトム６の取付部が背上げリンク５，５と基部フレーム２の取付部よりも前方上方に位置しているので背上げリンク５，５は背受ボトム６を押し上げるように作用する。そのため、背受ボトム６は摺動フレーム４とともに後方に移動しながら上方にせり上がるように背上げされる。
そして、腰受ボトム７は摺動フレーム４が後方移動するに伴い、腰受ボトム７のローラー７０，７０が摺動フレーム４の山型カム３６，３６上を転動するようになる。そのため、基部フレーム２に取り付けられた腰受ボトム７は、取付部である空孔部６９ａ，６９ａを基端として上方回動される。この上方回動は摺動フレーム４の後方移動によりローラー７０，７０が山型カム３６，３６の斜辺部を通過する間上方回動し、山型カム３６，３６の水平部を通過する間はその上方回動された状態が維持されるものである。なお、このカム形状を変えることにより腰受ボトム７の揺動角度は変更可能であるので、この山型カム３６，３６は取り替え可能に構成しても良い。これを変更することによって背受ボトム６の背上げ角度と腰受ボトム７の揺動角度を好みに応じて設定できるようになる。
次に、脚受ボトム９について説明する。前述のように摺動フレーム４が後方移動すると、レールフレーム８も連動リンク１０に追従して引き込まれ、基部フレーム２に対して相対的に脚受ボトム９も後方に移動する。このとき、レール部材５１，５１内を転動する前後のローラー２９，２９，・・・は後方下がりとなる状態で取り付けてあるのでレールフレーム８及び脚受ボトム９は相対的に下方移動しながら後方に移動する。さらに、レール部材５１，５１は中間部で上方に曲折されているので、この屈曲部から前方をローラー２９，２９，・・・が移動するときには下方への移動量が増す。また、基部フレーム２のローラー３１，３１は脚受ボトム９の揺動カム６４，６４の水平部６４ａ，６４ａから斜辺部６４ｂ，６４ｂを転動するので脚受ボトム９は後方に傾斜した状態となる。さらに摺動フレーム４が後方に移動するとローラー３１，３１は揺動カム６４，６４から離れるとともに、脚受ボトム９の後部パイプ６５がレール部材５１，５１上に載った状態となる。これらが同時に進行することによって脚受ボトム９は腰受ボトム７を避けながら腰受ボトム７下方に収納されることが可能となっている。
【手続補正１２】
【補正対象書類名】明細書
【補正対象項目名】００２７
【補正方法】変更
【補正の内容】
【００２７】
そして、駆動手段３を最短状態としたときは第１２図に示す状態となる。
このとき、背受ボトム６は背上げとともに上方にせり上がりながら最大角度まで起立した状態となっている。この背上げに伴い背受ボトム６と腰受ボトム７上に載置されるマットレス７２は屈曲されている。マットレス７２が屈曲する場合には屈曲部の外側面では大きな伸びが発生する。このマットレス７２の伸びが背受ボトム６や腰受ボトム７との摩擦等により拘束された状態にあるときには使用者は腹部に圧迫感や背中にすれ等の不快感を感じる構成となっている。しかしながら、本実施例にあるこのベッド１では、背受ボトム６が後方に移動しつつ、上方にせり上がるように背上げされるので、このマットレス７２の伸びに追従した背受ボトム６の背上げが可能となっている。したがって、マットレス７２と背受ボトム６間にずれが生じることがない。そのため、使用者は腹部に圧迫感や背中にずれを感じることなく背上げされるので快適に姿勢変更できるものとなっている。
また、この背受ボトム６では、ブラケット４３，４３と背上げリンク５，５の上部及び枠パイプ３８が形成する平面から下がった位置に連結パイプ４０，４０による平面が形成されるように構成されている。これにより、背上げした状態では腰を支持する後方部分が窪んだ状態となるのでバケットタイプのシートのように使用者の身体を十分に保持することが可能なものとなっている。
【手続補正１３】
【補正対象書類名】明細書
【補正対象項目名】００３０
【補正方法】変更
【補正の内容】
【００３０】
これまで説明したように本発明にかかるベッドは、次のような効果を有している。
まず、第９図及び第１２図を見ると良くわかるように基部フレーム２に固着された摺動筒２３，２３に沿って摺動するように摺動フレーム４は構成されている。すなわち、摺動フレーム４は、摺動パイプ３２，３２が前記摺動筒２３，２３内を摺動するので、摺動フレーム４が前端位置にあるとき（第９図参照）は腰受ボトム７下方に摺動フレーム４は位置している。しかしながら、摺動フレーム４を後端位置に移動させると（第１２図参照）、摺動フレーム４は腰受ボトム７の後方まで移動しており、腰受ボトム７の下方に空間を設ける構成となっている。したがって、脚受ボトム９を上下方向に大きく移動させることなく、腰受ボトム７下方に収納することができる。そのため、収納に伴う構成をより簡素化したもので構成できるという効果がある。
さらに、駆動手段３の伸縮動作により、背受ボトム６の起伏動作と腰受ボトム７の揺動動作、及び脚受ボトム９の収納動作が連動して行われる。しかしながら、背受ボトム６の起伏動作は背上げリンク５，５と摺動フレーム４の前後移動により行われ、腰受ボトム７の揺動動作は、摺動フレーム４の前後移動により山型カム３６，３６が腰受ボトム７のローラー７０，７０に接当することで行われ、脚受ボトム９の収納動作はレールフレーム８を摺動フレーム４の前後移動及び連動リンク１０の増幅作用によって行われるよう構成されたものであるので、簡素化された構成となっている。したがって、重量も軽減されており、結果として安価に提供することもできる。
また、背受ボトム６の起伏動作がマットレス７２の屈曲部外面の伸びや緩みに追従するように行われるので、使用者の腹部に感じる圧迫感や背中で感じるズレがない起伏動作となっている。
さらに、椅子状の状態としたときには、腰受ボトム７の下方に脚を引き込むことができる蹴込みの空間Ｓが形成されているので、より立ち上がり易いベッド１となっている。
【手続補正１４】
【補正対象書類名】明細書
【補正対象項目名】００３２
【補正方法】変更
【補正の内容】
【００３２】
まず、この切替手段７４を取り付けるために、基部フレーム２の支持プレート２８，２８には空孔部２８ａ，２８ａ及び長孔部２８ｂ，２８ｂが穿設される。さらに、支持プレート２８，２８の内側面には、プレート７５，７５がそれぞれ止着されている。このプレート７５には空孔部２８ａと合うように空孔部７５ａが穿設されるとともに、プレート７５の後部に空孔部７５ｂが穿設される。
そして、プレート７５，７５の空孔部７５ａ，７５ａ間には支持パイプ７７が軸止されている。この支持パイプ７７の両端部近傍にはそれぞれ規制プレート７８，７８が固着されており、端部近傍にはそれぞれボールプランジャ７９，７９が螺合されている。また、規制プレート７８，７８の端部には空孔部７８ａ，７８ａが設けられており、この空孔部７８ａ，７８ａに正面視において略Ｌ字状となるレバー部材８０，８０が止着される。なお、レバー部材８０，８０は支持プレート２８に穿設した長孔部２８ｂ，２８ｂ内を通してある。
そして、支持パイプ７７には解除プレート８１，８１が固着されている。この解除プレート８１，８１は、フック部材５７のフックプレート５８，５８間隔よりも狭い間隔で固着されており、先端部には連結棒５９に掛止可能となるフック溝８１ａ，８１ａが設けられている。
【手続補正１５】
【補正対象書類名】明細書
【補正対象項目名】００３３
【補正方法】変更
【補正の内容】
【００３３】
上述のように構成された切替手段７４は第１４図に示すように作用する。
まず、実施例１で説明したように摺動フレーム４の前後摺動に連動して脚受ボトム９が移動する場合は（ｂ）図のようになる。ことのき、レバー部材８０，８０を後方回動させた状態とし、解除プレート８１，８１が下方に位置した状態としている。この状態では、フック部材５７と連動リンク１０とが互いに掛止した状態となっているので、摺動フレーム４と連動リンク１０の移動に連動してレールフレーム８が移動する状態にある。
次に、第１図に示すギャッチ状態とする場合には、左右何れかのレバー部材８０を前方回動させる。このとき、解除プレート８１，８１は上方回動し、フック溝８１ａ，８１ａの中に連結棒５９がはまりフック部材５７を上方回動させる。これにより、連動リンク１０とフック部材５７の掛止状態が解除される。さらに、この解除された状態で、規制プレート７８，７８に螺合されたボールプランジャ７９，７９がプレート７５，７５の空孔部７５ｂ，７５ｂにはまりこの状態で押止され、（ａ）図に示す状態で保持される。
この状態では、連動リンク１０とフック部材５７の掛止状態が解除されているので、摺動フレーム４の前後移動に関係なく、解除プレート８１，８１によってレールフレーム８が保持され、脚受ボトム９は前方上方に位置した状態で拘束されている。したがって、背受ボトム６の起伏動作及び腰受ボトム７の上下揺動に関わらず、脚受ボトム９は停止した状態である。